(57)【要約】  製造や組立が容易でコストが低減され、簡単な動作で断熱把持部を形成することができるとともに、外部から把持しても短冊片の突出が維持されて断熱効果を確実に維持し、変形することなく確実に把持できる断熱容器を提供すること。  複数の短冊片１２１、１２２が複数のスリット１３０によって形成されたスリーブ１２０をスライドすることで断熱把持部を形成する断熱容器１００であって、少なくとも１つのスリット１３０が、隣接する短冊片１２１、１２２にそれぞれ凸部１２７および凹部１２８を形成する屈曲部１３１を有していること。
2012160682.tif 000002
【特許請求の範囲】
【請求項１】
胴部壁と底部壁を有する容器本体と、該容器本体の胴部壁外周面に嵌合したスリーブとを有し、
該スリーブには、高さ方向の一定範囲の上下方向に複数の短冊片を形成する複数のスリットが設けられ、
前記スリーブの短冊片より上部あるいは下部をスライドすることで、前記複数の短冊片が屈曲または湾曲し、外周部に突出して断熱把持部を形成してなる断熱容器であって、
前記複数の短冊片が、上端に上部谷折線を有し上方近辺に上部山折線を有する第１短冊片と、下端に下部谷折線を有し下方近辺に下部山折線を有する第２短冊片とが交互に隣接してなり、
前記複数のスリットの少なくとも１つが、両側部の短冊片の上部山折線と下部山折線の中間部分において凸部および凹部を形成する屈曲部と、該屈曲部の上下に延びる直線部とを有していることを特徴とする断熱容器。
【請求項２】
前記上部谷折線および下部谷折線が、水平に対して角度を有してなることを特徴とする請求項１に記載の断熱容器。
【請求項３】
前記複数のスリットの直線部が、垂直に対して角度を有してなることを特徴とする請求項１または請求項２に記載の断熱容器。
【請求項４】
前記複数のスリットの直線部が、上部山折線および下部山折線の位置で屈折していることを特徴とする請求項３に記載の断熱容器。
【請求項５】
前記短冊片の凸部および凹部が、それぞれ上下方向に連続して２つ以上設けられていることを特徴とする請求項１に記載の断熱容器。
【請求項６】
前記屈曲部を有するスリットの少なくとも一方の側部の短冊片が、凹部から水平方向に延びる切込部を有することを特徴とする請求項１に記載の断熱容器。
【請求項７】
前記短冊片の凸部および凹部が、鋸歯状に形成されていることを特徴とする請求項１に記載の断熱容器。
【発明の詳細な説明】
【技術分野】
【０００１】
本発明は、カップ状容器、より詳しくは加熱して飲食できるインスタント食品等特に、熱湯を注いで、または、電子レンジで加熱して飲食できるインスタント食品を包装するカップ状の容器に好適な断熱容器に関する。
【背景技術】
【０００２】
従来、胴部壁と底部壁を有する容器本体と、該容器本体の胴部壁外周面に嵌合したスリーブとを有し、該スリーブには、高さ方向の一定範囲の上下方向に複数の短冊片を形成する複数のスリットが設けられ、スリーブの短冊片より上部あるいは下部をスライドすることで、複数の短冊片が屈曲または湾曲し、外周部に突出して断熱把持部を形成してなる断熱容器として、本出願人は、人の力などを用いて前記スリーブを押し上げたり、押し下げたりすることで短冊片を断熱把持部に変形させる構造として特許第４２９４５７９号（特許文献１）や特許第４３９１９０８号（特許文献２）を提案し、相応の成果を挙げている。【０００３】
これらの断熱容器は、複数の短冊片が屈曲または湾曲し、外周部に突出して断熱把持部を形成した状態で当該突出部分が容器本体から離間していることで、当該突出部分を外部から把持しても持つ手に熱が伝わらないことが重要であり、複数の短冊片が元の形状に戻らないことが求められる。
したがって、摩擦や重力によりスリーブのスライド状態を維持するだけでは、強く把持した際に複数の短冊片が元の形状に戻る可能性があり、断熱効果が減少するおそれがあった。また、把持した際に短冊片の突出部分が変形することで、手から滑り落ちる危険性があった。
このため、これらの公知の断熱容器においては、短冊片を高さ方向に長く形成してスライド時に不可逆に折り畳まれるようにしたり、複雑な折り目形状として把持した際に可能な限り突出を維持するようにしたり、短冊片の突出を維持するために固定する別途の部材を付加したりするなどの構成を採用して、上記問題点を軽減していた。
【先行技術文献】
【特許文献】
【０００４】
【特許文献１】特許第４２９４５７９号公報（全頁、全図）
【特許文献２】特許第４３９１９０８号公報（全頁、全図）
【発明の概要】
【発明が解決しようとする課題】
【０００５】
しかしながら、これらの公知の断熱容器においては、上述したような構造、機構とすることにより、スリーブを押し上げたり、押し下げたりする動作が大きくなったり、余分な動作を必要とするなど、簡単に断熱把持部を形成することができないという問題があった。
また、上述したような構造、機構を設けることにより、製造や組立の手間やコストがかかるという問題があった。【０００６】
そこで本発明は、前述したような公知の断熱容器の問題を解決するものであって、製造や組立が容易でコストが低減され、簡単な動作で断熱把持部を形成することができるとともに、外部から把持しても短冊片の突出が維持されて断熱効果を確実に維持し、変形することなく確実に把持できる断熱容器を提供することを目的とする。
【課題を解決するための手段】
【０００７】
本請求項１に係る発明は、胴部壁と底部壁を有する容器本体と、該容器本体の胴部壁外周面に嵌合したスリーブとを有し、該スリーブには、高さ方向の一定範囲の上下方向に複数の短冊片を形成する複数のスリットが設けられ、前記スリーブの短冊片より上部あるいは下部をスライドすることで、前記複数の短冊片が屈曲または湾曲し、外周部に突出して断熱把持部を形成してなる断熱容器であって、前記複数の短冊片が、上端に上部谷折線を有し上方近辺に上部山折線を有する第１短冊片と、下端に下部谷折線を有し下方近辺に下部山折線を有する第２短冊片とが交互に隣接してなり、前記複数のスリットの少なくとも１つが、両側部の短冊片の上部山折線と下部山折線の中間部分において凸部および凹部を形成する屈曲部と、該屈曲部の上下に延びる直線部とを有していることにより、前記課題を解決するものである。【０００８】
本請求項２に係る発明は、請求項１に記載された断熱容器の構成に加えて、前記上部谷折線および下部谷折線が、水平に対して角度を有してなることにより、前記課題を解決するものである。【０００９】
本請求項３に係る発明は、請求項１または請求項２に記載された断熱容器の構成に加えて、前記複数のスリットの直線部が、垂直に対して角度を有してなることにより、前記課題を解決するものである。【００１０】
本請求項４に係る発明は、請求項３に記載された断熱容器の構成に加えて、前記複数のスリットの直線部が、上部山折線および下部山折線の位置で屈折していることにより、前記課題を解決するものである。【００１１】
本請求項５に係る発明は、請求項１に記載された断熱容器の構成に加えて、前記短冊片の凸部および凹部が、それぞれ上下方向に連続して２つ以上設けられていることにより、前記課題を解決するものである。【００１２】
本請求項６に係る発明は、請求項１に記載された断熱容器の構成に加えて、前記屈曲部を有するスリットの少なくとも一方の側部の短冊片が、凹部から水平方向に延びる切込部を有することにより、前記課題を解決するものである。【００１３】
本請求項７に係る発明は、請求項１に記載された断熱容器の構成に加えて、前記短冊片の凸部および凹部が、鋸歯状に形成されていることにより、前記課題を解決するものである。
【発明の効果】
【００１４】
本請求項１に係る発明の断熱容器は、複数のスリットの少なくとも１つが、両側部の短冊片の上部山折線と下部山折線の中間部分において凸部および凹部を形成する屈曲部と、該屈曲部の上下に延びる直線部とを有していることによって、短冊片が屈曲または湾曲して外周部に突出して断熱把持部を形成した際に、両側部の短冊片の対向する凸部が上下方向にスライドして乗り越えた状態で係止されるため、外部から把持しても複数の短冊片が突出した形状が維持され、断熱効果を確実に維持し、変形することなく確実に把持することが可能となる。【００１５】
また、スリットに両側部の短冊片の上部山折線と下部山折線の中間部分において凸部および凹部を形成する屈曲部を設けるだけでよいため、製造や組立が容易でありコストが低減される
さらに、短冊片が屈曲または湾曲して外周部に突出して断熱把持部を形成する際に、何等の他の動作を要することなく短冊片の対向する凸部が上下方向にスライドして乗り越えた状態で係止されるため、スリーブの短冊片より上部あるいは下部をスライドする動作のみで、簡単に断熱把持部を形成することができる。【００１６】
本請求項２に記載の構成によれば、上部谷折線および下部谷折線が、水平に対して角度を有してなることで、短冊片が屈曲または湾曲して外周部に突出した際に、山折線の高さが幅方向で異なるように突出し、短冊片全体が隣接する短冊方向に傾くため、短冊片の凸部および凹部が形成された側に傾くように設定することで凸部が接近し、かつ、短冊片が傾くことによって対向する凸部がより大きな角度を持って係止される。
このことで、より係止力が大きくなり、スリーブの厚みが薄くても確実に短冊片の突出形状が維持され、断熱効果を確実に維持し、変形することなく確実に把持することが可能となる。
また、スリーブの厚みを薄くすることが可能となるため、よりコストが低減されるとともに、スリーブをスライドして短冊片を屈曲または湾曲して外周部に突出させる動作も、より容易となる。【００１７】
本請求項３に記載の構成によれば、複数のスリットの直線部が、垂直に対して角度を有してなることで、短冊片が屈曲または湾曲して外周部に突出する際に隣接する短冊片の側面が接近あるいは離間することとなる。
このため、短冊片の接近する側に屈曲部を有するスリットを配置することで、対向する凸部がより接近し、より係止力が大きくなる。
また、スリーブの短冊片より上部あるいは下部をスライドする際に回転方向にもスライドすることで、短冊片が傾くように突出する際の変形応力を、局所的に集中させることなく全体に分散することが可能となるため、スリーブのスライド動作が軽くなり、簡単に断熱把持部を形成することができる。
さらに、変形応力を分散させることで、スリーブの強度を弱くすることが可能となるため、このことでもスリーブのスライド動作が軽くなるとともに、より製造コストが低減される。【００１８】
本請求項４に記載の構成によれば、複数のスリットの直線部が、上部山折線および下部山折線の位置で屈折していることにより、短冊片が傾くように突出する際の傾き量や隣接する短冊片の側面が接近あるいは離間する際の量を、その屈折角度によってさらに細かく調整することができるため、必要とする容器の形態や用途に合わせて、スリーブの材質や厚さ、短冊片の形状等の設計自由度が増大する。【００１９】
本請求項５に記載の構成によれば、短冊片の凸部および凹部が、それぞれ上下方向に連続して２つ以上設けられていることにより、係合すべき対向する凸部が、短冊片の突出開始からスリーブの厚み方向で重なった状態で徐々にずれて係合位置まで達した際に、短冊片が傾いたり隣接する短冊片の側面が接近したりしても、次の凹部（対向側は凸部）によって重なりが解除され、あるいは、極めて小さくなるため、凸部の端縁を容易に係止状態とすることができる。【００２０】
本請求項６に記載の構成によれば、屈曲部を有するスリットの少なくとも一方の側部の短冊片が、凹部から水平方向に延びる切込部を有することにより、切込部の上下でスリーブの厚み方向に容易に変形することができるため、対向する短冊片の凸部と凹部が厚さ方向に変形してずれることで、容易に上下方向に移動可能となり、短冊片の突出開始が円滑となる。
また、隣接する短冊片の側面が接近して、スライド完了時に、短冊片の凸部が対向する短冊片の凹部にスリーブの厚み方向で重なったままとなっても、切込部が変形することによって通過可能となり、対向する凸部同士を確実に係止させることができる。
このため、谷折線の角度、スリットの垂直方向に対する角度、屈曲部形状等の設計自由度がさらに増大し、対向する短冊片の凸部が係止する位置や角度を最適化することができる。【００２１】
本請求項７に記載の構成によれば、短冊片の凸部および凹部が、鋸歯状に形成されていることにより、短冊片の凸部の係止する側の端縁を水平とし、突出開始時に相対的に移動する方向の端縁を傾斜させることで、短冊片の突出開始が円滑になるとともに、突出完了時の対向する凸部の係止力が増大する。
【図面の簡単な説明】
【００２２】
【図１】本発明の第１実施例である断熱容器の側面図。
【図２】図１のスリーブの展開図。
【図３】図２の一部拡大図。
【図４】図１の断熱容器のスライド中の側面図。
【図５】図４の一部拡大図。
【図６】図１の断熱容器のスライド完了時の側面図。
【図７】図６の一部拡大図。
【図８】本発明の第２実施例である断熱容器の側面図。
【図９】図８のスリーブの展開図。
【図１０】図９の一部拡大図。
【図１１】図６の断熱容器のスライド中の側面図。
【図１２】図１１の一部拡大図。
【図１３】図８の断熱容器のスライド完了時の側面図。
【図１４】図１３の一部拡大図。
【図１５】本発明の第３実施例である断熱容器のスリーブの一部拡大図。
【符号の説明】
【００２３】
１００、２００          ・・・断熱容器
１１０、２１０          ・・・容器本体
１１１、２１１          ・・・胴部壁
１１３、２１３          ・・・開口部
１１２、２１２          ・・・底部壁
１２０、２２０          ・・・スリーブ
１２１、２２１、３２１  ・・・第１短冊片
１２２、２２２、３２２  ・・・第２短冊片
１２３、２２３、３２３  ・・・上部谷折線
１２４、２２４、３２４  ・・・上部山折線
１２５、２２５、３２５  ・・・下部谷折線
１２６、２２６、３２６  ・・・下部山折線
１２７、２２７、３２７  ・・・凸部
１２８、２２８、３２８  ・・・凹部
１２９、２２９、３２９  ・・・中心折線
１３０、２３０、３３０  ・・・スリット
１３１、２３１、３３１  ・・・屈曲部
１３２、２３２、３３２  ・・・直線部
２３３、３３３  ・・・切込部
３３４  ・・・垂直部
【発明を実施するための形態】
【実施例１】
【００２４】
以下に、本発明の第１実施例である断熱容器１００の構成および動作について、図面に基づいて説明する。
図１は本発明の第１実施例である断熱容器１００の使用前の側面概略を示しており、胴部壁１１１と底部壁１１２を有する容器本体１１０と、該容器本体１１０の胴部壁１１１外周面に嵌合したスリーブ１２０とを有している。
スリーブ１２０は、容器上方の開口部１１３側でのみ容器本体１１０の胴部壁１１１外周面に固定されており、高さ方向の一定範囲の上下方向に複数の短冊片１２１、１２２を形成する複数のスリット１３０が設けられている。
スリーブ１２０の最下端は、容器本体１１０の最下端に対して高さＨだけ突出しており、この高さ分だけ短冊片１２１、１２２を屈曲あるいは湾曲させながら、上方にスライド可能に構成されている。【００２５】
図２はスリーブ１２０の展開図を示し、図３は短冊片１２１、１２２の部分拡大図を示しており、これらの図に示すように、複数の短冊片１２１、１２２は、下端に下部谷折線１２５有し下方近辺に下部山折線１２６を有する第１短冊片１２１と、上端に上部谷折線１２３を有し上方近辺に上部山折線１２４を有する第２短冊片１２２とが交互に隣接している。
また、第１短冊片１２１の最上部および第２短冊片１２２の最下部には折線が設けられず、第１短冊片１２１の下部山折線１２６より上方および第２短冊片１２２の上部山折線１２４より下方に上下方向に中心折線１２９を設けることで、屈曲時の強度を増すように構成されている。【００２６】
複数のスリット１３０は、屈曲部１３１と該屈曲部１３１の上下に延びる直線部１３２を有するものと、上下方向に直線のみからなるものとが、交互に配されている。
スリット１３０の屈曲部１３１は、両側部の短冊片１２１、１２２の上部山折線１２４と下部山折線１２６の中間部分において凸部１２７および凹部１２８を形成する。
本実施例では、容器を形成した際の正面から見て、第１短冊片１２１の左側と第２短冊片１２２の右側で挟まれたスリット１３０を、屈曲部１３１を有するスリット１３０としている。【００２７】
屈曲部１３１で形成される凸部１２７および凹部１２８は、図３に示すように、第２短冊片１２２の上方から、凸部１２７（第１短冊片１２１の凹部１２８）、凹部１２８（第１短冊片１２１の凸部１２７）、凸部１２７（第１短冊片１２１の凹部１２８）、凹部１２８（第１短冊片１２１の凸部１２７）と、上下にそれぞれ交互に２個ずつ形成される。
２個の凸部１２７および凹部１２８は、スリット１３０の上下に延びる直線部１３２を結ぶ線からの寸法が、それぞれ同じ高さおよび深さに設定され、第２短冊片１２２の凸部１２７の高さ（第１短冊片１２１の凹部１２８の深さ）Ｔは、第２短冊片１２２の凹部１２８の深さ（第１短冊片１２１の凸部１２７の高さ）Ｓの約１．５倍に設定されている。【００２８】
以上のように構成された断熱容器１００の、使用時の動作について説明する。
図１に示す使用前の状態からスリーブ１２０を上方にスライドさせた状態を、図４、図５、図６に示しており、図４が１／３Ｈ分スライドさせた状態、図５が図４の一部を拡大したもの、図６がほぼＨ分スライドさせた状態を示している。
なお、実際のスライド動作は、スリーブ１２０の下端を水平面に載置し、スリーブ１２０の短冊片１２１、１２２より上方あるいは容器本体１１０を押し下げるようにスライドさせても良い。
まず、スリーブ１２０を初期状態から上方にスライドすると、図４、図５に示すように、第１短冊片１２１は、下部谷折線１２５および下部山折線１２６が屈曲するとともに上端部が湾曲して外周方向に僅かに突出する
また、第２短冊片１２２は、上部谷折線１２３および上部山折線１２４が屈曲するとともに下端部が湾曲して外周方向に僅かに突出する。【００２９】
このとき、第２短冊片１２２の上部山折線１２４より下方側は、上方にスライドするスリーブ１２０とともに上方にスライドしながら外周方向に突出する。
また、第１短冊片１２１の下部山折線１２６より上方側は、スライドせずに外周方向に突出する。
この際、図４、図５に示すように、第１短冊片１２１の左側部の凸部１２７Ｌ１、１２７Ｌ２と第２短冊片１２２の右側部の凸部１２７Ｒ１、１２７Ｒ２とが、スリーブ１２０のスリーブの厚み方向にずれて対向する短冊片と重なりながら、それぞれ上下に相対的に移動する。【００３０】
第１短冊片１２１には、上方から、第１凹部１２８Ｌ１、第１凸部１２７Ｌ１、第２凹部１２８Ｌ２、第２凸部１２７Ｌ２が、第２短冊片１２２には、上方から、第１凸部１２７Ｒ１、第１凹部１２８Ｒ１、第２凸部１２７Ｒ２、第２凹部１２８Ｒ２が設けられている。
これらは、１本のスリット１３０の屈曲部１３１によって形成されたものであり、第１凹部１２８Ｌ１と第１凸部１２７Ｒ１、第１凸部１２７Ｌ１と第１凹部１２８Ｒ１、第２凹部１２８Ｌ２と第２凸部１２７Ｒ２、および、第２凸部１２７Ｌ２と第２凹部１２８Ｒ２が完全に幅方向に同一の外形を有している。【００３１】
スリーブ１２０を初期状態から上方にスライドすることにより、スリーブ１２０の厚さ方向で、第２短冊片１２２の第１凸部１２７Ｒ１と第１短冊片１２１のスリット１３０の上部直線部１３２、第２短冊片１２２の第２凸部１２７Ｒ２と第１短冊片１２１の第１凸部１２７Ｌ１、第１短冊片１２１の第２凸部１２７Ｌ２と第２短冊片１２２のスリット１３０の下部直線部１３２が、それぞれ、上下に重なって相対移動する。
また、両短冊片１２１、１２２の各凸部１２７および凹部１２８は、図に示すように、スライドして重なる方向は水平線に対して角度を有し、その逆方向は略水平となる鋸歯状に形成されているため、スライド開始時に各凸部１２７が容易に移動して円滑にスライドを行うことができる。
なお、図面上は、第２短冊片１２２の構成部分が全て上になるように記載したが、力のかかり具合等の諸条件により決まるものであり、必ず図のようになるものではない。【００３２】
スライドがほぼ完了すると、図６、図７に示すように、第１短冊片１２１の第１凸部１２７Ｌ１が第２短冊片１２２の第２凹部１２８Ｒ２に、第２短冊片１２２の第２凸部１２７Ｒ２が第１短冊片１２１の第１凹部１２８Ｌ１に達し、スリーブの厚み方向の重なりが解除されて第１短冊片１２１の第１凸部１２７Ｌ１と第２短冊片１２２の第２凸部１２７Ｒ２の、ほぼ水平の端部が係止される。
この時、外周方向に突出した第１短冊片１２１と第２短冊片１２２との隣接部には若干の隙間ができるため、図７に示すように、第１短冊片１２１の第１凸部１２７Ｌ１および第２短冊片１２２の第２凸部１２７Ｒ２は、第２短冊片１２２の第２凹部１２８Ｒ２および第１短冊片１２１の第１凹部１２８Ｌ１と、それぞれ水平方向に若干の余裕を持って重なりが解除され、第１短冊片１２１の第１凸部１２７Ｌ１と第２短冊片１２２の第２凸部１２７Ｒ２が円滑に係止される。
また、本実施例では、第１短冊片１２１および第２短冊片１２２がそれぞれ１２片ずつ設けられているため、第１短冊片１２１の第１凸部１２７Ｌ１と第２短冊片１２２の第２凸部１２７Ｒ２とは、約１５°の角度で交差して確実に係止される。【００３３】
このようにして、図６に示すように、第１短冊片１２１の第１凸部１２７Ｌ１と第２短冊片１２２の第２凸部１２７Ｒ２が係止されることで、スリーブ１２０が上方にスライドして第１短冊片１２１と第２短冊片１２２がそれぞれの山折線１２４、１２６を頂点として外方に突出した状態を保持することができる。
なお、本実施例では、屈曲部１３１を有するスリット１３０を、円周方向に１つおきに設けたが、スリーブ１２０が上方にスライドして第１短冊片１２１と第２短冊片１２２が外方に突出した状態を保持することが可能であれば、２つおき等さらに少なく設けても良く、全てを、屈曲部１３１を有するスリット１３０としても良い。
【実施例２】
【００３４】
次に、本発明の第２実施例である断熱容器２００の構成および動作について、図面に基づいて説明する。
図８乃至図１４は、本発明の第１実施例に関する図１乃至図７に対応する図面であり、各構成の符号は、第１実施例の対応する各構成の百の位を２としたものとなっている。
本発明の第２実施例である断熱容器２００は、図８に示すように、第１実施例と同様に、胴部壁２１１と底部壁２１２を有する容器本体２１０と、該容器本体２１０の胴部壁２１１外周面に嵌合したスリーブ２２０とを有している。
スリーブ２２０は、容器上方の開口部２１３側でのみ容器本体２１０の胴部壁２１１外周面に固定されており、高さ方向の一定範囲の上下方向に複数の短冊片２２１、２２２を形成する複数のスリット２３０が設けられている。
スリーブ２２０の最下端は、容器本体２１０の最下端に対して高さＨだけ突出しており、この高さ分だけ短冊片２２１、２２２を屈曲あるいは湾曲させながら、上方にスライド可能に構成されている。【００３５】
図９、図１０に示すように、複数の短冊片２２１、２２２は、下端に下部谷折線２２５を有し下方近辺に下部山折線２２６を有する第１短冊片２２１と、上端に上部谷折線２２３を有し上方近辺に上部山折線２２４を有する第２短冊片２２２とが交互に隣接している。
また、第１短冊片２２１の最上部および第２短冊片２２２の最下部には折線が設けられず、第１短冊片２２１の下部山折線２２６より上方および第２短冊片２２２の上部山折線２２４より下方に上下方向に中心折線２２９を設けることで、屈曲時の強度を増すように構成されている。
上部谷折線２２３、上部山折線２２４、下部谷折線２２５および下部山折線２２６は、水平に対してα°傾斜して設けられている。【００３６】
複数のスリット２３０は、屈曲部２３１と該屈曲部２３１の上下に延びる直線部２３２を有するものと、直線のみからなるものとが交互に配されており、それぞれ、上端に対して下端がほぼ短冊片２２１、２２２の１ピッチＰ分ずらすように傾斜して設けられる。
スリット２３０の屈曲部２３１は、両側部の短冊片２２１、２２２の上部山折線２２４と下部山折線２２６の中間部分において凸部２２７および凹部２２８を形成する。
本実施例では、容器を形成した際の正面から見て、第１短冊片２２１の左側と第２短冊片２２２の右側で挟まれたスリット２３０を、屈曲部２３１を有するスリット２３０としている。
なお、上部谷折線２２３、上部山折線２２４、下部谷折線２２５および下部山折線２２６が水平に対して同様にα°傾斜しているため、屈曲部２３１を有するスリット２３０が短く、直線のみからなるものが長くなるように交互に配置されることとなる。【００３７】
屈曲部２３１で形成される凸部２２７および凹部２２８は、図１０に示すように、第２短冊片２２２の上方から、凸部２２７（第１短冊片２２１の凹部２２８）、凹部２２８（第１短冊片２２１の凸部２２７）、凸部２２７（第１短冊片２２１の凹部２２８）、凹部２２８（第１短冊片２２１の凸部２２７）と、上下にそれぞれ交互に２個ずつ形成される。
第２短冊片２２２側の２個の凸部２２７および凹部２２８は、スリット２３０の上下に延びる直線部２３２を結ぶ線からの寸法を、それぞれ同じ高さおよび深さＴとなるように設定され、第１短冊片２２１側の２個の凸部２２７および凹部２２８は、スリット２３０の上下に延びる直線部２３２を結ぶ線からの寸法を、上方がＳ、下方がそれより大きいＳ２となるように設定されている。
本実施例では、ＴとＳは等しく、Ｓ２はＳの２．５倍に設定されている。【００３８】
さらに、第２短冊片２２２の上方の凸部２２７（第１短冊片２２１の凹部２２８）の頂点から第１短冊片２２１側に水平に延びる切込部２３３が設けられ、さらに水平に延びた先端から上方に延びるＬ状に形成されている。
本実施例では、切込部２３３はスリット２３０の上下に延びる直線部２３２を結ぶ線からＫの距離まで水平に延びており、ＫはＴの約２倍に設定されている。
これらＴ、Ｓ、Ｓ２、Ｋの寸法関係は、上部谷折線２２３、上部山折線２２４、下部谷折線２２５および下部山折線２２６の水平に対する傾斜や、スリット２３０の傾斜による第１短冊片２２１と第２短冊片２２２の相対的な接近量を考慮して適宜最適に設定される。【００３９】
以上のように構成された断熱容器２００の、使用時の動作について説明する。
まず、スリーブ２２０を初期状態から上方にスライドすると、図１１、図１２に示すように、第１短冊片２２１は、下部谷折線２２５および下部山折線２２６が屈曲するとともに上端部が湾曲して外周方向に僅かに突出する
また、第２短冊片２２２は、上部谷折線２２３および上部山折線２２４が屈曲するとともに下端部が湾曲して外周方向に僅かに突出する。【００４０】
このとき、第２短冊片２２２の上部山折線２２４より下方側は、上方にスライドするスリーブ２２０とともに上方にスライドしながら外周方向に突出する。
また、第１短冊片２２１の下部山折線２２６より上方側は、スライドせずに外周方向に突出する。
そして、図１１、図１２に示すように、第１短冊片２２１の左側部の凸部２２７Ｌ１、２２７Ｌ２と第２短冊片２２２の右側部の凸部２２７Ｒ１、２２７Ｒ２とが、スリーブ２２０のスリーブの厚み方向にずれて対向する短冊片と重なりながら、それぞれ上下に相対的に移動する。
上部谷折線２２３、上部山折線２２４、下部谷折線２２５および下部山折線２２６は、水平に対してα°傾斜して設けられているため、上部山折線２２４および下部山折線２２６の屈曲部２３１側がより高く突出するとともに、お互いに接近する側に傾く。
また、スリット２３０は上端に対して下端がほぼ短冊片２２１、２２２の１ピッチＰ分ずらすように傾斜して設けられているため、第１短冊片２２１、第２短冊片２２２の凸部および凹部が形成された側は、スライドするに連れて相対的に接近する。【００４１】
第１短冊片２２１には、上方から、第１凹部２２８Ｌ１、第１凸部２２７Ｌ１、第２凹部２２８Ｌ２、第２凸部２２７Ｌ２が、第２短冊片２２２には、上方から、第１凸部２２７Ｒ１、第１凹部２２８Ｒ１、第２凸部２２７Ｒ２、第２凹部２２８Ｒ２が設けられている。
これらは、１本のスリット２３０の屈曲部２３１によって形成されたものであり、第１凹部２２８Ｌ１と第１凸部２２７Ｒ１、第１凸部２２７Ｌ１と第１凹部２２８Ｒ１、第２凹部２２８Ｌ２と第２凸部２２７Ｒ２、および、第２凸部２２７Ｌ２と第２凹部２２８Ｒ２が完全に幅方向に同一の外形を有している。【００４２】
スリーブ２２０を初期状態から上方にスライドすることにより、スリーブ２２０の厚さ方向で、第２短冊片２２２の第１凸部２２７Ｒ１が第１短冊片２２１のスリット２３０の上部直線部２３２の上に、第２短冊片２２２の第２凸部２２７Ｒ２が第１短冊片２２１の第１凸部２２７Ｌ１の下に、第１短冊片２２１の第２凸部２２７Ｌ２が第２短冊片２２２のスリット２３０の下部直線部２３２の上に重なって相対移動する。
また、両短冊片２２１、２２２の各凸部２２７および凹部２２８は、図に示すように、スライドして重なる方向は水平線に対して角度を有し、その逆方向は略水平となる鋸歯状に形成されているため、スライド開始時に各凸部２２７が容易に移動して円滑にスライドを行うことができる。【００４３】
スライドがほぼ完了すると、図１３、図１４に示すように、第１短冊片２２１の第１凸部２２７Ｌ１が第２短冊片２２２の第２凹部１２８Ｒ２に、第２短冊片２２２の第２凸部２２７Ｒ２が第１短冊片２２１の第１凹部２２８Ｌ１に達し、厚み方向の重なりが解除されて第１短冊片２２１の第１凸部２２７Ｌ１と第２短冊片２２２の第２凸部２２７Ｒ２の、ほぼ水平の端部が係止される。
この時、外周方向に突出した第１短冊片２２１と第２短冊片２２２との隣接部は上部山折線２２４、下部谷折線２２５および下部山折線２２６の水平に対する傾斜や、スリット２３０の傾斜によって接近する（場合によっては重なりあう）ため、第１短冊片２２１の第１凸部２２７Ｌ１および第２短冊片２２２の第２凸部２２７Ｒ２は、第２短冊片２２２の第２凹部２２８Ｒ２および第１短冊片２２１の第１凹部２２８Ｌ１との重なりが解除されない可能性がある。
しかしながら、前述したＳ２の寸法、および、切込部２３３の長さＫを適宜設定することによって、円滑に重なりが解除され、第１短冊片２２１の第１凸部２２７Ｌ１と第２短冊片２２２の第２凸部２２７Ｒ２が円滑に係止される。
また、本実施例では、第１短冊片２２１および第２短冊片２２２がそれぞれ１２片ずつ設けられているため、第１短冊片２２１の第１凸部２２７Ｌ１と第２短冊片２２２の第２凸部２２７Ｒ２とは、平坦状態で約１５°の角度で交差し、さらに、第１短冊片２２１と第２短冊片２２２の、それぞれ、凸部２２７および凹部２２８が形成された側がより高く突出することによる角度も加わることで、より確実に係止される。【００４４】
このようにして、図１３に示すように、第１短冊片２２１の第１凸部２２７Ｌ１と第２短冊片２２２の第２凸部２２７Ｒ２が係止されることで、スリーブ２２０が上方にスライドして第１短冊片２２１と第２短冊片２２２がそれぞれの山折線２２４、２２６を頂点として外方に突出した状態を保持することができる。
なお、本実施例では、屈曲部２３１を有するスリット２３０を、円周方向に１つおきに設けたが、スリーブ２２０が上方にスライドして第１短冊片２２１と第２短冊片２２２が外方に突出した状態を保持することが可能であれば、２つおき等さらに少なく設けても良い。
【実施例３】
【００４５】
次に、本発明の第３実施例である断熱容器３００の構成について説明する。
図１５は、本発明の第２実施例に関する図１０に対応する図面であり、各構成の符号は、第２実施例の対応する各構成の百の位を３としたものとなっている。
本発明の第３実施例である断熱容器は、図１５に示すスリット３３０の形状以外は、第２実施例と同様であるので、第２実施例との相違する部分以外の説明は省略する。
図１５に示すように、複数の短冊片３２１、３２２は、下端に下部谷折線３２５を有し下方近辺に下部山折線３２６を有する第１短冊片３２１と、上端に上部谷折線３２３を有し上方近辺に上部山折線３２４を有する第２短冊片３２２とが交互に隣接している。
また、第１短冊片３２１の最上部および第２短冊片３２２の最下部には折線が設けられず、第１短冊片３２１の下部山折線３２６より上方および第２短冊片３２２の上部山折線３２４より下方に上下方向に中心折線３２９を設けることで、屈曲時の強度を増すように構成されている。
上部谷折線３２３、上部山折線３２４、下部谷折線３２５および下部山折線３２６は、水平に対してα°傾斜して設けられている。【００４６】
複数のスリット３３０は、屈曲部３３１と、該屈曲部３３１の上下に延び垂直に対して傾斜した直線部３３２と、上部山折線３２４より上方および下部谷折線３２５より下方に延びる垂直部３３４を有するものと、上下の垂直部３３４の中間が傾斜した直線のみからなるものとが交互に配されている。
すなわち、本実施例のスリット３３０は第２実施例のスリット２３０と比較して、直線部分が上部山折線３２４および下部山折線３２６の位置で屈折している点で相違するものである。
この屈折により、短冊片３２１、３２２が傾くように突出する際の傾き量や隣接する短冊片３２１、３２２の側面が接近あるいは離間する際の量を、その屈折角度によってさらに細かく調整することができるため、必要とする容器の形態や用途に合わせて、スリーブの材質や厚さ、短冊片の形状等の設計自由度が増大する。
【産業上の利用可能性】
【００４７】
本発明の断熱容器は、製造や組立が容易でコストが低減され、簡単な動作で断熱把持部を形成することができるとともに、外部から把持しても短冊片の突出が維持されて断熱効果を確実に維持し、変形することなく確実に把持できるため、熱湯を注いで、または、電子レンジで加熱して飲食するインスタント食品を包装するカップ状の容器として好適に利用できる。また、簡単な操作で意匠上特徴のある外観に変化させることが可能なため、断熱本来の用途に限定されず、種々のカップ状の容器に利用することが可能である。
【図１】
2012160682.tif 000003
【図２】
2012160682.tif 000004
【図３】
2012160682.tif 000005
【図４】
2012160682.tif 000006
【図５】
2012160682.tif 000007
【図６】
2012160682.tif 000008
【図７】
2012160682.tif 000009
【図８】
2012160682.tif 000010
【図９】
2012160682.tif 000011
【図１０】
2012160682.tif 000012
【図１１】
2012160682.tif 000013
【図１２】
2012160682.tif 000014
【図１３】
2012160682.tif 000015
【図１４】
2012160682.tif 000016
【図１５】
2012160682.tif 000017
【国際調査報告】
2012160682.tif 000018
2012160682.tif 000019
2012160682.tif 000020